(57)【要約】【課題】データ応答器を落とした場合に、第三者による不正使用を阻止することにある。【解決手段】この発明は、通信対象の個別データを記録するとともに識別データを記録した第１のデータ応答器を設け、この第１のデータ応答器の識別データに対応する識別データを記録した第２のデータ応答器を設け、前記第１・第２のデータ応答器との間で電磁波送受信アンテナを介してデータを送受信する送受信手段を設け、この送受信手段により前記第１のデータ応答器との間で個別データを送受信する際に前記第１のデータ応答器の識別データと前記第２のデータ応答器の識別データとを比較して一致する場合には前記個別データを有効とするように処理する処理手段を設けたことを特徴とする。【選択図】図１
2005115842.tif 000002
【特許請求の範囲】
【請求項１】
通信対象の個別データを記録するとともに識別データを記録した第１のデータ応答器を設け、この第１のデータ応答器の識別データに対応する識別データを記録した第２のデータ応答器を設け、前記第１・第２のデータ応答器との間で電磁波送受信アンテナを介してデータを送受信する送受信手段を設け、この送受信手段により前記第１のデータ応答器との間で個別データを送受信する際に前記第１のデータ応答器の識別データと前記第２のデータ応答器の識別データとを比較して一致する場合には前記個別データを有効とするように処理する処理手段を設けたことを特徴とするデータ送受信装置。
【請求項２】
前記第１のデータ応答器はカード形状に形成して設け、前記第２のデータ応答器は指輪形状に形成して設けたことを特徴とする請求項１に記載のデータ送受信装置。
【請求項３】
通信対象の個別データを記録するとともに識別データを記録した第１のデータ応答器とこの第１のデータ応答器の識別データに対応する識別データを記録した第２のデータ応答器とを設け、送受信手段により前記第１のデータ応答器との間で個別データを送受信する際に、前記第１のデータ応答器の識別データと前記第２のデータ応答器の識別データとを処理手段に読み込んで比較し、識別データが一致する場合には前記個別データを有効とするように処理することを特徴とするデータ送受信方法。
【請求項４】
前記第１のデータ応答器はカード形状に形成して設け、前記第２のデータ応答器は指輪形状に形成して設けたことを特徴とする請求項３に記載のデータ送受信方法。
【発明の詳細な説明】
【技術分野】
【０００１】
この発明はデータ送受信装置及びその方法に係り、特に、暗証番号の入力操作を不要にして省力化を果たすことができ、データ応答器を落とした場合の第三者による不正使用を阻止し得るデータ送受信装置及びその方法に関する。
【背景技術】
【０００２】
近時は、商店や工場・施設等における商品や物品、人間等の個別データを管理するために、データ送受信装置を設置している。データ送受信装置は、商品等の通信対象の個別データを記録した非接触型ＩＣカード等のデータ応答器を設け、このデータ応答器との間で電磁波送受信アンテナを介してデータを送受信する質問器である送受信手段を設けている。
【０００３】
データ送受信装置は、データ応答器を商品等に付設し、電磁波送受信アンテナを送受信手段に接続する。データ送受信装置は、送受信手段によって、データ応答器が電磁波送受信アンテナの交信領域を通過すると、電磁波送受信アンテナの発生する電磁波（磁力線）によりデータ応答器に電源を供給して動作させ、データの送受信を行って個別データの読み取りや書き換え等を行う。
【０００４】
従来のデータ送受信装置としては、電磁結合により非接触型ＩＣカードにエネルギーを伝送し、非接触型ＩＣカードに記録された情報を読み取るためのループ型のアンテナを備えたものにおいて、アンテナ面が非接触型ＩＣカードの通路と直角になり、かつ通路をループが囲むようにアンテナを構成したものがある。
【特許文献１】特開平１１−４１１５２号公報
【発明の開示】
【発明が解決しようとする課題】
【０００５】
ところで、データ送受信装置のテータ応答器には、通信対象となる商品や物品、人間等の個別データを記録してあり、カード形状に形成された非接触型ＩＣカードが多種使用されている。非接触型ＩＣカードには、例えば、使用者が胸部等に装着して施設への入退出管理に使用されるものや、プリペイド型電子マネーとして使用者の買い物等の清算管理に使用されるもの等がある。
【０００６】
ところが、データ応答器であるカードの使用時には、暗証番号を入力しているので、使用に手間がかかる問題がある。また、使用者がカードを落としてなくした場合には、拾った第三者にカードを不正使用されるおそれがある。このため、カードに記録された個別データが入退出許可の場合には第三者が施設内に自由に出入してしまう不都合があり、また、カードに記録された個別データがプリペイド型電子マネーの場合には買い物等に消費されてしまう不都合がある。
【課題を解決するための手段】
【０００７】
この発明は、通信対象の個別データを記録するとともに識別データを記録した第１のデータ応答器を設け、この第１のデータ応答器の識別データに対応する識別データを記録した第２のデータ応答器を設け、前記第１・第２のデータ応答器との間で電磁波送受信アンテナを介してデータを送受信する送受信手段を設け、この送受信手段により前記第１のデータ応答器との間で個別データを送受信する際に前記第１のデータ応答器の識別データと前記第２のデータ応答器の識別データとを比較して一致する場合には前記個別データを有効とするように処理する処理手段を設けたことを特徴とする。
【発明の効果】
【０００８】
この発明のデータ送受信装置は、送受信手段により第１のデータ応答器との間で個別データを送受信する際に、処理手段によって、第１のデータ応答器の識別データと第２のデータ応答器の識別データとを比較して一致する場合には、個別データを有効とするように処理することにより、暗証番号の入力操作を要することなく個別データを処理させることができ、また、第１のデータ応答器を落としてしまい、拾った第三者が第１のデータ応答器を使用したとしても、第２のデータ応答器の識別データとの一致を確認することができず、第１のデータ応答器の個別データが有効とならずに無効となるので、第１のデータ応答器を使用することができない。
このため、このデータ送受信装置は、暗証番号の入力操作を不要にして省力化を果たすことができ、データ応答器を落としてなくした場合に、第三者により不正使用されることを阻止することができる。
【発明を実施するための最良の形態】
【０００９】
この発明のデータ送受信装置及びその方法は、２つのデータ応答器を設け、この２つのデータ応答器の識別データが一致する場合に個別データを有効とすることによって、暗証番号の入力操作を不要にすることができ、識別データが一致しない場合や識別データが無い場合に個別データを有効としないことによって、データ応答器を落としてなくした場合の第三者による不正使用を阻止している。
以下図面に基づいて、この発明の実施例を説明する。
【実施例】
【００１０】
図１〜図４は、この発明の実施例を示すものである。図１において、２はデータ送受信装置である。データ送受信装置２は、第１のデータ応答器４と第２のデータ応答器６と電磁波送受信アンテナ８と送受信手段１０と処理手段１２とを設けている。
【００１１】
前記第１のデータ応答器４は、図３に示す如く、四角形状の基材１４を設け、この基材１４にデータ処理用チップ１６とデータ通信用コイル１８とを内蔵して、カード形状に形成して設けている。第１のデータ応答器４は、無線周波数を使用して非接触型個体識別認識（ＲＦＩＤ：Ｒａｄｉｏ  Ｆｒｅｑｕｅｎｃｙ  Ｉｄｅｎｔｉｆｉｃａｔｏｎ）を行うものであり、通信対象である使用者の個別データを記録するとともに識別データを記録している。
【００１２】
前記第２のデータ応答器６は、図４に示す如く、指を通す挿通穴２０を形成した円環形状の台材２２を設け、この台材２２に装着孔２４を形成するとともにこの装着孔２４内にデータ処理用チップ２６とデータ通信用コイル２８と磁性体３０とを内蔵して、第１のデータ応答器４と近接して配設されて電磁波送受信アンテナ８に第１のデータ応答器４と同時に通信できるように、使用者の身体に装着される指輪形状に形成して設けている。第２のデータ応答器６は、無線周波数を使用して非接触型個体識別認識（ＲＦＩＤ）を行うものであり、第１のデータ応答器４の識別データに対応する識別データを記録している。
【００１３】
前記電磁波送受信アンテナ８は、コイル又はケーブル等からなるループ状のアンテナ線３２を設け、このアンテナ線３２により第１・第２のデータ応答器４・６とデータを交信する交信領域Ｓを設定している。アンテナ線３２は、前記送受信手段１０に接続して設けている。
【００１４】
送受信手段１０は、アンテナ線３２により電磁波を送受信させ、第１・第２のデータ応答器４・６との間でデータを送受信する質問器である。この送受信手段１０には、前記処理手段１２を接続して設けている。
【００１５】
処理手段１２は、質問器である送受信手段１０により第１のデータ応答器４との間で個別データを送受信する際に、第１のデータ応答器４の識別データと第２のデータ応答器６の識別データとを比較して、第１のデータ応答器４の識別データと第２のデータ応答器６の識別データとが一致する場合には、個別データを有効とするように処理する。
【００１６】
即ち、通信対象の個別データを記録するとともに識別データを記録した第１のデータ応答器４とこの第１のデータ応答器４の識別データに対応する識別データを記録した第２のデータ応答器６とを設け、送受信手段１０により第１のデータ応答器４との間で個別データを送受信する際に、第１のデータ応答器４の識別データと第２のデータ応答器６の識別データとを処理手段１２に読み込んで比較し、識別データが一致する場合には個別データを有効とするように処理するものである。
【００１７】
次に作用を説明する。
【００１８】
データ送受信装置２は、使用に際して、例えば図２に示す如く、使用者はカード形状の第１のデータ応答器４を手で保持するとともに、指輪形状の第２のデータ応答器６を指にはめる。つまり、使用者は、第１のデータ応答器４と第２のデータ応答器６とを近接して配設した状態で使用する。なお、指輪形状の第２のデータ応答器６は、左右の手のどの指にはめても良い。
【００１９】
データ送受信装置２は、使用者が第１のデータ応答器４を手で保持するとともに第２のデータ応答器６を指にはめた状態で、第１・第２のデータ応答器４・６が電磁波送受信アンテナ８の交信領域Ｓを通過すると、質問器である送受信手段１０によって電磁波送受信アンテナ８の発生する電磁波（磁力線）により第１・第２のデータ応答器４・６に電源を供給して動作させ、データの送受信を行う。
【００２０】
このとき、データ送受信装置２は、送受信手段１０により第１のデータ応答器４との間で個別データを送受信する際に、処理手段１２により第１のデータ応答器４の識別データと第２のデータ応答器６の識別データとを読み込んで比較する。
【００２１】
処理手段１２は、第１のデータ応答器４の識別データと第２のデータ応答器６の識別データとが一致する場合には、個別データを有効とするように処理する。個別データを有効とされた第１のデータ応答器４は、個別データの読み取りや書き換え等を行うことができる。
【００２２】
一方、処理手段１２は、第１のデータ応答器４の識別データと第２のデータ応答器６の識別データとが一致しない場合、あるいは第２のデータ応答器６の識別データが受信されない場合には、個別データを無効とするように処理する。個別データを無効とされた第１のデータ応答器４は、個別データの読み取りや書き換え等を行うことができない。
【００２３】
このように、このデータ送受信装置２は、送受信手段１０により第１のデータ応答器４との間で個別データを送受信する際に、処理手段１０によって、第１のデータ応答器４の識別データと第２のデータ応答器６の識別データとを比較して一致する場合には、個別データを有効とするように処理している。
【００２４】
これにより、このデータ送受信装置２は、暗証番号の入力操作を要することなく個別データを処理させることができ、また、使用者が第１のデータ応答器４を落としてしまい、拾った第三者が第１のデータ応答器４を使用したとしても、第２のデータ応答器６の識別データとの一致を確認することができず、第１のデータ応答器４の個別データが有効とならずに無効となるので、第１のデータ応答器４を使用することができない。
【００２５】
このため、このデータ送受信装置２は、暗証番号の入力操作を不要にして時間的、エネルギ的に省力化を果たすことができ、また、第１のデータ応答器４を落としてなくした場合に、第三者による不正使用を阻止することができる。
【００２６】
なお、この実施例においては、第１・第２のデータ応答器４・６の送受信手段１０に対するデータの送受信を同時に行ったが、先に第１のデータ応答器４のデータを送受信した後に第２のデータ応答器６のデータの送受信を行うこともできる。つまり、第１・第２のデータ応答器４・６の各データの送受信は、設定時間内にであれば、同時でも前後しても良い。
【００２７】
この発明は、上述の実施例に限定されず、種々応用改変が可能である。
【００２８】
例えば、図５は、第２のデータ応答器６の第１の変形例を示すものである。この第２のデータ応答器６は、装着穴３４を形成した短円筒形状の台材３６にデータ処理用チップ２６とデータ通信用コイル２８とを内蔵し、この台材３６の装着穴３４内に挿通穴２０を形成した短円筒形状の磁性体３０を装着して、指輪形状に形成して設けたものであり、大きな磁性体３０によって通信感度を高めることができる。
【００２９】
図６は、第２のデータ応答器６の第２の変形例を示すものである。この第２のデータ応答器６は、シリコンゴムからなるドーナツ形状の台材３８にデータ処理用チップ２６とデータ通信用コイル２８とを内蔵して、指輪形状に形成して設けたものであり、台材３８が伸縮することによって異なる指サイズに対応させることができ、耐水性を高めることができる。
【００３０】
図７は、第２のデータ応答器６の第３の変形例を示すものである。この第２のデータ応答器６は、装着穴３４を形成した短円筒形状の台材２２の装着孔２４内に図示しないデータ処理用チップとデータ通信用コイルと磁性体とに合わせて動作表示用のＬＥＤ４０を内蔵して、指輪形状に形成して設けたものであり、ＬＥＤ４０の点灯によって動作を確認することができる。
【００３１】
図８は、第２のデータ応答器６の第４の変形例を示すものである。この第２のデータ応答器６は、装着穴３４を形成した短円筒形状の台材２２内に第１のデータ処理用チップ２６−１と第１のデータ通信用コイル２８−１とを内蔵するとともに、第２のデータ処理用チップ２６−２と第２のデータ通信用コイル２８−２とを内蔵して、指輪形状に形成して設けたものであり、２種の第１のデータ応答器４を識別することができる。なお、第２の応答器６は、データ処理用チップ２６を２以上内蔵することにより、２種以上の第１のデータ応答器６を識別することができる。
【００３２】
また、図９は、第１の応答器４の変形例を示すものである。この第１のデータ応答器６は、基材１４にデータ処理用チップ１６とデータ通信用コイル１８とに合わせて、個別データが無効と判定された場合に警告音を発生する発生器４２を内蔵して、カード形状に形成して設けたものであり、不正な使用であることを明示することができる。
【００３３】
なお、上述実施例及び変形例の第２のデータ応答器６は、指輪形状に形成したが、第１のデータ応答器４と近接配設されて電磁波送受信アンテナ８に第１のデータ応答器４と同時に対峙するように、使用者の身体に装着される装飾品として、例えば、イヤリングやピアス、ブローチ、ネックレス、ブレスレット、袖口を止めるカフス、ネクタイピン等の形状に形成して設けることもできる。また、上述実施例及び変形例の第１・第２のデータ応答器４・６は、カード形状や指輪形状としてが、携帯電話やクレジットカード等に適用することができる。
【産業上の利用可能性】
【００３４】
この発明のデータ送受信装置及びその方法は、２つのデータ応答器を設けて、この２つのデータ応答器の識別データを比較することによって、省力化を果たして不正使用を阻止することができ、例えば、プリペイド型電子マネーカードを使用するシステム等に適用することができる。
【図面の簡単な説明】
【００３５】
【図１】データ送受信装置のシステム構成図である。
【図２】データ送受信方法の説明図である。
【図３】第１のデータ応答器の平面図である。
【図４】第２のデータ応答器の組立斜視図である。
【図５】第２のデータ応答器の第１の変形例を示す組立斜視図である。
【図６】第２のデータ応答器の第２の変形例を示す斜視図である。
【図７】第２のデータ応答器の第３の変形例を示す斜視図である。
【図８】第２のデータ応答器の第４の変形例を示す斜視図である。
【図９】第１のデータ応答器の変形例を示す斜視図である。
【符号の説明】
【００３６】
２  データ送受信装置
４  第１のデータ応答器
６  第２のデータ応答器
８  電磁波送受信アンテナ
１０  送受信手段
１２  処理手段
【図１】
2005115842.tif 000003
【図２】
2005115842.tif 000004
【図３】
2005115842.tif 000005
【図４】
2005115842.tif 000006
【図５】
2005115842.tif 000007
【図６】
2005115842.tif 000008
【図７】
2005115842.tif 000009
【図８】
2005115842.tif 000010
【図９】
2005115842.tif 000011